(57)【要約】【課題】加熱機器で発生する熱によって給湯装置が高温に加熱されることを抑制でき、しかも簡易な施工により設置できる給湯装置カバーを提供する。【解決手段】加熱機器よりも上方に配設される給湯装置４と共に用いられるカバーである。給湯装置４が固定され且つ壁に取り付けられるベース２と、ベース２に取り付けられて給湯装置４の下端部を覆うカバー本体３を備える。【選択図】図１
2014047950.tif 000002
【特許請求の範囲】
【請求項１】
加熱機器よりも上方に配設される給湯装置と共に用いられるカバーであって、
前記給湯装置が固定され且つ壁に取り付けられるベースと、
前記ベースに取り付けられて前記給湯装置の下端部を覆うカバー本体を備えたことを特徴とする給湯装置カバー。
【請求項２】
燃焼機器である加熱機器よりも上方に配設されるガス給湯装置と共に用いられるカバーであって、
前記カバー本体が、
前記ベースに取り付けられて前記ガス給湯装置の下端部を覆う第一カバー体と、
前記ベースに取り付けられて前記ガス給湯装置から下方に伸びる配管を覆う第二カバー体とで構成され、
前記第二カバー体の下端部に前記燃焼機器の燃焼部よりも下方に配置される開口部が形成され、前記第二カバー体の内側に前記開口部と前記第一カバー体の内側の空間とを連通させる通気路が形成されることを特徴とする請求項１に記載の給湯装置カバー。
【請求項３】
前記第一カバー体が前記ベースに取り付けられた状態で前記ベースに取り付けられた第二カバー体に固定されることを特徴とする請求項２に記載の給湯装置カバー。
【請求項４】
前記第一カバー体が前記第二カバー体を前記ベースに取り付けたままの状態で前記第二カバー体との固定を解除して前記ベースから取り外し可能であることを特徴とする請求項３に記載の給湯装置カバー。
【請求項５】
前記第一カバー体と前記第二カバー体が手回し用頭部を有するねじで締結されることを特徴とする請求項３又は請求項４に記載の給湯装置カバー。
【請求項６】
前記第二カバー体が前記ベースに着脱自在に取り付けられることを特徴とする請求項２乃至５のいずれか１項に記載の給湯装置カバー。
【発明の詳細な説明】
【技術分野】
【０００１】
本発明は給湯装置カバーに関する。
【背景技術】
【０００２】
特許文献１にはバーナーの燃焼炎で熱交換器を加熱し、これにより熱交換器に流れる水を加熱して温水を得るガス給湯装置が開示されている。
【先行技術文献】
【特許文献】
【０００３】
【特許文献１】特開２０００−１８５８０号公報
【発明の概要】
【発明が解決しようとする課題】
【０００４】
ところで、給湯装置がガスこんろや電磁調理器のような加熱機器の上方に設置された場合、加熱機器で発生する燃焼ガスや輻射熱により、給湯装置が高温に加熱される恐れがある。
【０００５】
本発明は前記事情に鑑みてなされたものであって、加熱機器によって給湯装置が高温に加熱されることを抑制でき、しかも簡易な施工により設置できる給湯装置カバーを提供することを課題とする。
【課題を解決するための手段】
【０００６】
上記課題を解決するために本発明の給湯装置カバーは、加熱機器よりも上方に配設される給湯装置と共に用いられるカバーであって、前記給湯装置が固定され且つ壁に取り付けられるベースと、前記ベースに取り付けられて前記給湯装置の下端部を覆うカバー本体を備えたことを特徴とする。
【０００７】
また、燃焼機器である加熱機器よりも上方に配設されるガス給湯装置と共に用いられるカバーであって、前記カバー本体が、前記ベースに取り付けられて前記ガス給湯装置の下端部を覆う第一カバー体と、前記ベースに取り付けられて前記ガス給湯装置から下方に伸びる配管を覆う第二カバー体とで構成され、前記第二カバー体の下端部に前記燃焼機器の燃焼部よりも下方に配置される開口部が形成され、前記第二カバー体の内側に前記開口部と前記第一カバー体の内側の空間とを連通させる通気路が形成されることが好ましい。
【０００８】
また、前記第一カバー体が前記ベースに取り付けられた状態で前記ベースに取り付けられた第二カバー体に固定されることが好ましい。
【０００９】
また、前記第一カバー体が前記第二カバー体を前記ベースに取り付けたままの状態で前記第二カバー体との固定を解除して前記ベースから取り外し可能であることが好ましい。
【００１０】
また、前記第一カバー体と前記第二カバー体が手回し用頭部を有するねじで締結されることが好ましい。
【００１１】
また、前記第二カバー体が前記ベースに着脱自在に取り付けられることが好ましい。
【発明の効果】
【００１２】
請求項１に係る発明にあっては、加熱機器よりも上方に配設される給湯装置の下端部をカバー本体で覆うことで、加熱機器によって給湯装置が高温に加熱されることを防止できる。また、給湯装置が固定され且つ壁に取り付けられるベースに対して、カバー本体が取り付けられるので、給湯装置の壁に対する固定とカバー本体の壁に対する固定を簡単な施工により行うことができる。また、給湯装置とカバー本体を共通のベースに固定できるため、カバー本体を給湯装置に対して適切な防熱効果が得られる位置に容易に配置することができる。
【００１３】
また、請求項２に係る発明にあっては、前記請求項１の効果に加えて、第一カバー体により給湯装置の下端部を覆うと共に、第二カバー体により給湯装置から下方に伸びる配管を覆うことができ、給湯装置及び配管が燃焼機器で生じた燃焼ガスによって高温に加熱されることを防止できる。また、通気路を介して燃焼機器の燃焼部よりも下方の新鮮な空気をガス給湯装置の近傍に供給することができ、ガス給湯装置の不完全燃焼を生じ難くすることができる。また、第一カバー体及び第二カバー体を共通のベースに取り付けることにより、第一カバー体及び第二カバー体を第二カバー体内の通気路と第一カバー体内の空間とが適切に連通する位置に配置することができる。
【００１４】
また、請求項３に係る発明にあっては、第一カバー体を第二カバー体に固定して両者をより適切な位置に配置することができる。
【００１５】
また、請求項４に係る発明にあっては、第一カバー体をベースから容易に取り外すことができ、給湯装置の保守・点検や掃除等を容易に行うことができる。
【００１６】
また、請求項５に係る発明にあっては、手回し用頭部を手で回すことで、ねじによる第一カバー体と第二カバー体の固定を簡単に解除することができる。
【００１７】
また、請求項６に係る発明にあっては、ベースから第二カバー体を取り外して配管の掃除等を行うことができる。
【図面の簡単な説明】
【００１８】
【図１】本発明の実施形態の給湯装置カバー及び給湯装置の設置状態を示す正面図である。
【図２】同上の給湯装置カバー及び給湯装置の設置状態を示す側面図である。
【図３】同上のベースを示し、（ａ）は正面図であり、（ｂ）は側面図である。
【図４】（ａ）は図３（ａ）におけるＢ−Ｂ断面図であり、（ｂ）は図３（ａ）におけるＡ−Ａ断面図である。
【図５】同上の第二カバー体を示し、（ａ）は一部破断した正面図であり、（ｂ）は側面図であり、（ｃ）は平面図である。
【図６】同上の第一カバー体を示し、（ａ）は正面図であり、（ｂ）は側面図であり、（ｃ）は平面図である。
【図７】図６のＣ−Ｃ断面図である。
【発明を実施するための形態】
【００１９】
以下、本発明を添付図面に基づいて説明する。本実施形態の給湯装置カバー１は屋内の壁に設けられる給湯装置４と共に用いられるものである。以下では図２に示されるように台所に設置されたコンロ台６の後方の壁面７に給湯装置４及び給湯装置カバー１を設ける例につき説明する。
【００２０】
給湯装置４はコンロ台６よりも上方の鉛直な壁面７に取り付けられる。この給湯装置４は、加熱機器としてコンロ台６上に設置したガスコンロ５と左右方向において重なる位置に配置される。また、図２に示されるように燃焼機器であるガスコンロ５の上面には燃焼部としてコンロバーナー５０が設けられている。
【００２１】
本実施形態の給湯装置４はガス給湯装置であって、供給された水をケーシング４０に内装した図示しないガスバーナーの燃焼により加熱して温水を得るものである。ケーシング４０は金属板をプレス加工して形成したものであり、縦長の略直方体状である。図１に示されるようにケーシング４０の前面下端部には、操作部４４として、給湯装置４からの出湯の開始及び停止を切り換えるための入切スイッチ４４０、ガス量調節ハンドル４４１、及び水量調節ハンドル４４２が設けられている。
【００２２】
ケーシング４０の左右両側面の下端部には、ケーシング４０の内外を通じさせる吸気口４５（図２参照）が形成されている。図２に示されるように吸気口４５は上下に長いスリットで構成されており、ケーシング４０の各側面において前後方向に複数設けられている。これら吸気口４５は例えばケーシング４０のプレス加工時において打ち抜きにより形成される。ケーシング４０の内部にはこれら吸気口４５を介して外部から前記ガスバーナー燃焼用の空気が供給されるようになっている。
【００２３】
ケーシング４０の後面上端部には、図示しないだるま孔を有する被掛止部４００が設けられている。図示は省略するが、壁面７において被掛止部４００に対応する箇所には、被掛止部４００が掛止される掛止具が設けられる。掛止具は例えば壁に固着されるねじ具で構成され、その頭部を壁面７より前方に突出させた状態で壁にねじ込まれる。そして、このねじ具の頭部が前記だるま孔に通されることで被掛止部４００はねじ具に掛止され、これにより給湯装置４の上部は壁に支持される。
【００２４】
ケーシング４０の後面の下部には壁面７に固着される被固着部が設けられている。本実施形態の被固着部はケーシング４０の後面下端部の中央に設けられた被固着片部４０１（図１参照）で構成されている。図１に示されるように被固着片部４０１はケーシング４０の下面よりも下方に突出しており、該突出部分の左右両側にはねじ挿通孔４０２が穿設されている。被固着片部４０１は各ねじ挿通孔４０２に通したねじ９０により壁面７に固着される。なお、これについては後に詳述する。また、ケーシング４０の下面には配管接続口部として、ガス管接続口部４１、給水管接続口部４２、及び出湯管接続口部４３が設けられている。
【００２５】
給湯装置カバー１はガスコンロ５のコンロバーナー５０の燃焼時に発生する燃焼ガスにより、給湯装置４、壁面７、及び前記配管接続口部に接続された配管８が加熱されるのを抑制するものである。本実施形態の給湯装置カバー１は図２に示されるようにコンロ台６よりも上方の壁面７に沿って設けられ、コンロ台６とこの上方に位置する給湯装置４の間に配置される。
【００２６】
給湯装置カバー１は、給湯装置４のケーシング４０よりも下方且つコンロ台６よりも上方の壁面７に取り付けられるベース２と、ベース２に取り付けられて給湯装置４の下端部を覆うカバー本体３を具備している。ベース２は金属製であって例えばＳＰＣＣ（冷間圧延鋼板）から形成されている。なお、ベース２の材料はこれに限定されるものではない。ベース２は略板状に形成されており、図３（ａ）に示されるようにその上部の正面視形状は下底より上底が長い台形状（詳しくは等脚台形状）であり、その下部の正面視形状は矩形状である。
【００２７】
ベース２の上部及びこれに連続する下部には取付用孔２０が夫々穿設されている。本実施形態の取付用孔２０はベース２の上端部及び下端部の夫々において左右に複数並べて設けられている。図１及び図２に示されるようにベース２は壁面７に沿って配置される。このベース２の前面における上端部中央には前記給湯装置４の下方に突出した被固着片部４０１が重ね合わされる。また、被固着片部４０１の各ねじ挿通孔４０２は前記ベース２の上端部に形成された対応する取付用孔２０に連通させられる。
被固着片部４０１の各ねじ挿通孔４０２には前方からねじ９０が挿通され、これらねじ９０はベース２の対応する取付用孔２０を通して壁面７にねじ込まれる。これによりベース２の上端部及び給湯装置４の被固着片部４０１は共通のねじ９０を用いて壁面７に固着される。また、ベース２の下端部に形成された各取付用孔２０には前方からねじ９１が挿通され、これらねじ９１が壁面７にねじ込まれることでベース２の下端部は壁面７に固着される。
【００２８】
ベース２は例えば以下のような手順で壁面７に取り付けられる。まず給湯装置４の被掛止部４００が前記壁面７に設けたねじ具に引っ掛けられ、この後、ベース２が壁面７に沿わせられると共に該ベース２の上端部に給湯装置４の被固着片部４０１を重ね合わせられる。次に前述したように給湯装置４の被固着片部４０１及びベース２の上端部がねじ９０により壁面７に共締めされ、この後、ベース２の下端部がねじ９１によって壁面７に取り付けられる。
【００２９】
ここで、ベース２の各取付用孔２０及び給湯装置４の各ねじ挿通孔４０２は左右に長い長孔により構成されており、ベース２の壁面７への取付時にはベース２の上下方向の位置決めをした状態で当該ベース２の給湯装置４や壁面７に対する左右方向の位置を調整できるようにしている。また、ベース２の各取付用孔２０を長孔により構成することで、種類の異なる給湯装置４にも対応できるようになっている。なお、本実施形態では取付用孔２０及びねじ挿通孔４０２を長孔で構成したが、取付用孔２０又はねじ挿通孔４０２のうちの一方を長孔で構成し、他方を対応するねじ９０、９１の軸部と略同径の孔で構成してもよい。また、取付用孔２０及びねじ挿通孔４０２の両方を対応するねじ９０、９１の軸部と略同径の孔で構成し、ねじ９０、９１によってベース２の給湯装置４に対する左右方向の位置を位置決めできるようにしても構わない。
【００３０】
図１に示されるように給湯装置４のガス管接続口部４１には給湯装置４内のガスバーナーに燃料ガスを供給するガス管８０が接続される。また、給水管接続口部４２には給湯装置４内のガスバーナーによって加熱される水を供給する給水管８１が接続される。また、出湯管接続口部４３には給湯装置４で得られた温水を台所のカラン等の機器に供給する出湯管８２が接続される。これら配管８のうち、ガス管８０及び給水管８１は、図２に示されるように壁面７においてコンロ台６の上面よりも上方且つガスコンロ５のコンロバーナー５０及びベース２よりも下方に位置する箇所から前方に引き出され、この後、上方に屈曲されてその上端部が対応する配管接続口部に接続される。また、図１において二点鎖線で示される出湯管８２は温水を供給する機器の位置に応じて適宜配管される。また、これら配管８は前記壁面７に取り付けられたベース２の前側に配置される。
【００３１】
図３に示されるようにベース２の上部と下部には、カバー本体３をベース２に取り付けるための係止部２１が夫々形成されている。以下、ベース２の上部に形成された係止部２１を第一係止部２１０と記載し、ベース２の下部に形成された係止部２１を第二係止部２１１と記載する。本実施形態では、第一係止部２１０がベース２の上端部の左右両端部に設けられており、第二係止部２１１がベース２の下部の左右両側の上下２箇所に夫々設けられている。各係止部２１は図４に示されるようにベース２の前面側に突出して上方及び後方に開口する溝形に形成されており、例えばベース２の左右に長い切溝の下方部を当該ベース２のプレス加工時において前側に押圧することで形成される。
【００３２】
カバー本体３は図１に示されるように上部を構成する第一カバー体３０と下部を構成する第二カバー体３１とで構成されている。第一カバー体３０及び第二カバー体３１は共に金属製であって例えばＳＰＣＣ（冷間圧延鋼板）から形成されている。なお、第一カバー体３０及び第二カバー体３１の材料はこれに限定されるものではない。第一カバー体３０及び第二カバー体３１は別々にベース２に取り付けられる。第二カバー体３１は第一カバー体３０よりも先にベース２に取り付けられ、この後、第一カバー体３０がベース２に取り付けられる。
【００３３】
図５に示されるように第二カバー体３１は、前面板３１０と、前面板３１０の左右両側縁から後方に突出した側面板３１１と、各側面板３１１の後縁から内側方に向かって突出した後面板３１２を有しており、その水平断面形状は後方に開口する略Ｃ字溝状である。第二カバー体３１の内側の空間３１３は、上方、下方、及び後方に開放されている。
【００３４】
第二カバー体３１の前面板３１０は正面視矩形状であって、第二カバー体３１をベース２に取り付けた状態で前方から見たとき、ベース２の下部と略同大同形となって重複する。第二カバー体３１の各後面板３１２には被係止部３１６が形成されている。本実施形態では被係止部３１６が各後面板３１２の上下２箇所に夫々形成されている。これら被係止部３１６は前記ベース２の各第二係止部２１１に対応する位置に存在する。各被係止部３１６は、後面板３１２から後方に突出した横片部３１６ａと、横片部３１６ａの後端部から下方に突出した縦片部３１６ｂとで構成されており、側面視逆Ｌ字状に形成されている。
【００３５】
図１に示されるように第二カバー体３１の各被係止部３１６はベース２の下部に形成された対応する第二係止部２１１に着脱自在に係止され、これにより第二カバー体３１はベース２の下部に取り付けられる。この第二カバー体３１の係止は、被係止部３１６の縦片部３１６ｂを水平断面溝形の第二係止部２１１の内側に上方から挿入することで行われる。このように各被係止部３１６を対応する第二係止部２１１に係止することで第二カバー体３１は位置決めされ、ベース２に対して上方以外の方向の移動が規制される。
【００３６】
第一カバー体３０はベース２に取り付けられた第二カバー体３１の上方に配置される。第一カバー体３０は図６に示されるように、前板３００と、前板３００の左右両端から後方に向かって突出した側板３０１と、各側板３０１の後縁から内側方に向かって突出した後板３０２とを備えている。これら前板３００、両側板３０１、及び両後板３０２で囲まれた第二カバー体３１内側の空間３１３は、上方、下方、及び後方に開放されている。前板３００は上方に行く程前方に位置するように傾斜している。前板３００は下底より上底が長い台形状（詳しくは等脚台形状）に形成されており、第一カバー体３０をベース２に取り付けた状態で前方から見たとき、前板３００はベース２の上部と略同大同形となって重複する。また、第一カバー体３０の両側板３０１は上方程外側方に位置するように傾斜している。
【００３７】
第一カバー体３０の各後板３０２には被係止部３０５が形成されている。以下、第一カバー体３０の被係止部３０５を第一被係止部３０５と記載し、第二カバー体３１の被係止部３１６を第二被係止部３１６と記載する。第一被係止部３０５は前記ベース２の上部に形成された各第一係止部２１０に対応する位置に設けられている。第一被係止部３０５も第二被係止部３１６と同様に側面視逆Ｌ字状に形成されており、図６（ｂ）及び図７に示されるように後面板３１２から後方に突出した横片部３０５ａと、横片部３０５ａの後端部から下方に突出した縦片部３０５ｂとで構成されている。
【００３８】
図１に示されるように第一カバー体３０の各第一被係止部３０５はベース２の上部に形成された対応する第一係止部２１０に着脱自在に係止され、これにより第一カバー体３０はベース２の上部に取り付けられる。この第一カバー体３０の係止は、第二被係止部３１６を第二係止部２１１に係止する場合と同様に、第一被係止部３０５の縦片部３０５ｂを水平断面溝形の第一係止部２１０の内側に上方から挿入することで行われる。このように各第一被係止部３０５を対応する第一係止部２１０に係止することで、第一カバー体３０はベース２に位置決めされ、ベース２に対して上方以外の方向の移動が規制される。
【００３９】
また、前記のように第一カバー体３０をベース２に取り付けたとき、第一カバー体３０は先にベース２に取り付けられた第二カバー体３１に係止される。この係止手段としては、第一カバー体３０には第一位置決め用係止部が設けられ、第二カバー体３１には第二位置決め用係止部が設けられている。第一位置決め用係止部は、図６に示されるように第一カバー体３０の各側板３０１の下縁から下方に突出した第一係止片部３０７で構成されている。両第一係止片部３０７は図１に示されるようにベース２に取り付けられた第二カバー体３１の内側に上方から挿入され、第二カバー体３１の対応する側面板３１１の上端部内面に沿って配置され係止される。これにより、第一カバー体３０は第二カバー体３１に対して左右方向の移動が規制される。また、第二位置決め用係止部は図５に示されるように前面板３１０の上縁から前斜め上方に向けて突出した第二係止片部３１７で構成されている。第二係止片部３１７は、図１に示されるようにベース２に取り付けられた第一カバー体３０の前板３００の下端部内面に沿って配置され係止される。これにより、第二カバー体３１は第一カバー体３０に対して前方への移動が規制される。
【００４０】
また、図２に示されるようにベース２に取り付けられた第一カバー体３０の下端部と第二カバー体３１の上端部はねじ９２によって締結される。図５（ｂ）に示されるように第二カバー体３１の両側面板３１１の夫々の上端部にはねじ通し孔３１８が穿設されている。また、図６（ｂ）に示されるように第一カバー体３０の各第一係止片部３０７には雌ねじ部３０８が穿設されている。各ねじ通し孔３１８は、前記のように第一カバー体３０及び第二カバー体３１をベース２に取り付けた状態で対応する雌ねじ部３０８に連通するようになっている。そして、これらねじ通し孔３１８に外側方からねじ９２（図２参照）を挿通し、このねじ９２の軸部を対応する雌ねじ部３０８に螺合することで、ベース２に取り付けられた第一カバー体３０と第二カバー体３１をねじ９２により締結することができる。また、本実施形態では、前記第一カバー体３０と第二カバー体３１のねじ９２による固定を手で解除できるようにするため、各ねじ９２が手回し用頭部９２０を有している。ねじ９２は化粧ねじで構成され、その手回し用頭部９２０はドライバーを用いて回転される一般のねじの頭部よりも径が大きく、また、手回し用頭部９２０の外周面には滑り止め用の突条が周方向に多数形成されている。
【００４１】
前記のように第一カバー体３０及び第二カバー体３１がベース２に取り付けられた状態では、第一カバー体３０の下端部は第二カバー体３１の上端部に接続される。また、第一カバー体３０の前板３００、各側板３０１、各後板３０２が、第二カバー体３１の前面板３１０、各側面板３１１、各後面板３１２の夫々の上縁上に載置され、これによりカバー本体３は第一カバー体３０と第二カバー体３１が略隙間なく連続したような一体的な外観となる。
【００４２】
また、図１及び図２に示されるように第一カバー体３０はベース２の上部前側に配置され、第二カバー体３１はベース２の下部前側に配置される。このうち第一カバー体３０の前板３００は給湯装置４の下方に位置し、ケーシング４０の下面や操作部４４の下側を覆う。また、図１に示されるように第一カバー体３０の両側板３０１は左右方向においてケーシング４０の両側面よりも外側に配置される。また、給湯装置４の下端部に設けられたガス管接続口部４１、給水管接続口部４２、及び出湯管接続口部４３の周囲は第一カバー体３０によって覆われる。なお、第一カバー体３０はケーシング４０の下端部の周囲を覆うものであってもよい。また、第一カバー体３０を給湯装置４の配管接続口部よりも下方に配置し、第一カバー体３０で給湯装置４の下側のみを覆うようにしてよく、すなわち、第一カバー体３０は給湯装置４の下端部の前面又は側面、あるいは下面のいずれかを覆うものであればよい。
【００４３】
また、図２に示されるように給湯装置４から下方に伸びるガス管８０や給水管８１は、第一カバー体３０内の空間３０４から第二カバー体３１内の空間３１３に通された後、第二カバー体３１の下端の開口部３１４より下方に突出して露出する。この露出部分にはガス管８０や給水管８１に設けた弁（不図示）を操作するための弁操作部８３が設けられており、これら弁操作部８３はカバー本体３をベース２に取り付けたまま操作できるようになっている。なお、前記給湯装置４に接続された出湯管８２は、ガス管８０や給水管８１と同様、給湯装置カバー１を通して、開口部３１４より下方に導出してもよいし、給湯装置カバー１の適所を貫通させて外部に導出してもよい。
【００４４】
また、図１及び図２に示されるように第一カバー体３０及び第二カバー体３１は、ガスコンロ５から上昇した燃焼ガスを遮る位置に配置される。このため、ガスコンロ５で生じた燃焼ガスは給湯装置４の吸気口４５に至り難くなる。また、第二カバー体３１の下端の開口部３１４は第二カバー体３１内の空間３１３を介して第一カバー体３０内の空間３０４に連通する。すなわち、第二カバー体３１内の空間３１３が第二カバー体３１の開口部３１４を第一カバー体３０内の空間３０４に連通させる通気路３１５を構成する。さらに、第二カバー体３１の下端に形成された開口部３１４は図２に示されるようにコンロバーナー５０よりも下方に配置される。従って、コンロバーナー５０よりも下方に位置するガスコンロ５後方の空間は、開口部３１４、第二カバー体３１内の空間３１３（通気路３１５）、第一カバー体３０内の空間３０４、及び、第一カバー体３０の上端の開口部３０６を順に介して、給湯装置４の吸気口４５が存在する空間に連通することとなる。このため、給湯装置４の吸気口４５には、コンロバーナー５０よりも下方に位置するガスコンロ５後方の新鮮な空気を、開口部３０６から通気路３１５を介して供給できるようになっている。
【００４５】
また、給湯装置４の電池交換や、給湯装置４や配管８の掃除をする際等には、前記ベース２に取り付けられたカバー本体３を取り外すことができるようになっている。カバー本体３をベース２から取り外すには、例えば第一カバー体３０をベース２から取り外した後、第二カバー体３１をベース２から取り外す。第一カバー体３０をベース２から取り外すには、ねじ９２を雌ねじ部３０８から取り外して第一カバー体３０の第二カバー体３１に対する固定を解除した後、第一カバー体３０をベース２に対して上側に移動する。これにより、第一カバー体３０の各第一被係止部３０５はベース２の対応する第一係止部２１０から引き抜かれ、また、前記係止手段による第一カバー体３０と第二カバー体３１の係止が解除される。なお、前記第一カバー体３０をベース２から取り外す作業は、第二カバー体３１をベース２に取り付けた状態のまま行うことができるようになっている。また、第二カバー体３１をベース２から取り外すには、前記のようにベース２から第一カバー体３０を取り外して第二カバー体３１を上側に移動するスペースを確保した上で、第二カバー体３１をベース２に対して上方に移動する。これにより第二カバー体３１の各第二被係止部３１６はベース２の対応する第二係止部２１１から引き抜かれる。
【００４６】
以上のとおり本実施形態の給湯装置カバー１は、ガスコンロ５の上方に配置される給湯装置４の下端部を覆うカバー本体３を備えることにより、給湯装置４がガスコンロ５で発生した燃焼ガスによって高温に加熱されることを防止できる。また、カバー本体３を給湯装置４が固定され且つ壁に取り付けられるベース２に対して取り付けられるようにしたことで、給湯装置４の壁に対する固定とカバー本体３の壁に対する固定を簡単な施工により行うことができる。また、給湯装置４とカバー本体３を共通のベース２に固定できるため、カバー本体３を給湯装置４に対して適切な防熱効果が得られる位置に容易に配置できる。
【００４７】
また、本実施形態のカバー本体３は、給湯装置４の下端部を覆う第一カバー体３０と、給湯装置４から下方に伸びる配管８を覆う第二カバー体３１とで構成されており、給湯装置４だけでなく配管８が高温に加熱されることも防止できる。また、第二カバー体３１の下端部にガスコンロ５のコンロバーナー５０よりも下方に配置される開口部３１４が形成され、第二カバー体３１の内側に開口部３１４と第一カバー体３０の内側の空間３０４とを連通させる通気路３１５が形成される。このため、コンロバーナー５０よりも下方の新鮮な空気を、通気路３１５及び第一カバー体３０内の空間３０４を介して給湯装置４の下端部近傍に供給することができ、これによりガス給湯装置である給湯装置４の不完全燃焼を生じ難くすることができる。また、第一カバー体３０及び第二カバー体３１を共通のベース２に取り付けたことにより、第一カバー体３０及び第二カバー体３１を第二カバー体３１内の通気路３１５と第一カバー体３０内の空間３０４とが適切に連通する位置に容易に配置することができる。
【００４８】
また、本実施形態の第一カバー体３０はベース２に取り付けられた状態でベース２に取り付けられた第二カバー体３１に係止手段及びねじ９２によって固定される。このため、第一カバー体３０と第二カバー体３１の位置関係をより適切なものにすることができる。また、本実施形態では、第二カバー体３１をベース２に取り付けたまま、第一カバー体３０を前記第二カバー体３１との固定を解除してベース２から取り外すことができる。このため、第一カバー体３０をベース２から容易に取り外すことができ、給湯装置４の保守・点検や掃除等を容易に行うことができる。また、本実施形態では、第一カバー体３０と第二カバー体３１をねじ９２で締結するので、第一カバー体３０と第二カバー体３１を強固に固定できる。また、ねじ９２は手回し用頭部９２０を有するので、ねじ９２を手で回して第一カバー体３０と第二カバー体３１の固定を簡単に解除することができる。また、本実施形態では第二カバー体３１がベース２に着脱自在に取り付けられるため、ベース２から第二カバー体３１を取り外して配管８の掃除等を行うことができる。
【００４９】
なお、本実施形態のねじ９２は化粧ねじであるが、ねじ９２はドライバー等の工具を用いて回転されるねじであってもよい。また、ねじ９２を省略し、第一カバー体３０及び第二カバー体３１を前記係止手段による位置決めだけがなされるものとしてもよく、さらには前記係止手段による位置決めを省略してもよい。また、給湯装置４は電気等のその他の熱源によって水を加熱するものであってもよい。また、本実施形態では給湯装置４の下側にガスコンロ５を設置したが、本発明は給湯装置４の下側にガスコンロ５以外の燃焼機器や、電熱線等を用いた電気コンロ、電磁調理器（ＩＨ（Ｉｎｄｕｃｔｉｏｎ  Ｈｅａｔｉｎｇ）調理器）等を設置した場合にも適用できる。
【符号の説明】
【００５０】
１  給湯装置カバー
２  ベース
３  カバー本体
５  ガスコンロ
８  配管
３０  第一カバー体
３１  第二カバー体
５０  コンロバーナー
９２  ねじ
３０４  空間
３１４  開口部
３１５  通気路
９２０  手回し用頭部
【図１】
2014047950.tif 000003
【図２】
2014047950.tif 000004
【図３】
2014047950.tif 000005
【図４】
2014047950.tif 000006
【図５】
2014047950.tif 000007
【図６】
2014047950.tif 000008
【図７】
2014047950.tif 000009